【事件の表示】
　特願２０１４−１２３９３８「空気調和機のルーバー」拒絶査定不服審判事件〔平成２８年　１月１２日出願公開、特開２０１６−　　３８０７、請求項の数（４）〕について、次のとおり審決する。
【結　論】
　原査定を取り消す。
　本願の発明は、特許すべきものとする。
【理　由】
第１　手続の経緯
　本願は、平成２６年６月１７日の出願であって、平成３０年３月１９日付けで拒絶理由が通知され、平成３０年４月１７日に意見書が提出されたが、平成３０年９月２６日付けで拒絶査定（以下、「原査定」という。）がされ、これに対して平成３０年１１月２２日に拒絶査定不服審判の請求がされると同時に手続補正書が提出されたものである。
　
第２　原査定の概要
　原査定の概要は次のとおりである。
［理由］　
　本件出願の請求項１ないし７に係る発明は、その出願前日本国内または外国において頒布された下記の刊行物１ないし３に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　記　　　　　　
　
＜引用文献等一覧＞
１．特開２０１３−１９４９２１号公報
２．特開２００９−０６３２７４号公報
３．実願昭６１−１７９２４５号（実開昭６３−０８３５２９号）のマイクロフィルム
　
第３　本願発明
　本願請求項１ないし４に係る発明（以下、「本願発明１」ないし「本願発明４」という。）は、平成３０年１１月２２日の手続補正により補正された特許請求の範囲の請求項１ないし４に記載された事項により特定されるところ、請求項１ないし４に記載された発明は以下のとおりのものである。
　
「【請求項１】
　平面視ほぼ長方形で底部の周縁に壁を有する外部材と、
　前記壁の内周面に嵌合する頂部を有し、外部材とで断熱空間を形成する内部材とを備え、
　空気調和機における吹き出し口から吹き出される風の向きを規制するルーバーであって、
　前記長方形の長辺に沿う方向をＸ方向、短辺に沿う方向をＹ方向、ＸＹ平面と交差する方向をＺ方向とするとき、
　前記内部材は、外部材との嵌合状態で、Ｙ方向端部にて外側に張り出して前記壁の内周面に圧接するリブＰと、前記Ｙ方向端部付近にてＺ方向に突き出して前記底部に圧接するリブＱを有し、
　前記外部材は、リブＰが前記底部からＺ方向に遠ざかることを阻む段差Ｔと、リブＱが前記壁からＹ方向に遠ざかることを阻む段差Ｌを有する
ことを特徴とするルーバー。
　【請求項２】
　更に、前記内部材が、Ｘ方向端部付近にて前記底部に近づくＺ方向に突き出すとともに前記壁の内周面に圧接するリブＳを有する、請求項１に記載のルーバー。
　【請求項３】
　リブＰが、前記Ｙ方向端部にて前記頂部の厚さだけ前記底部側に降下した位置で外側に張り出しており、前記壁の内周面にリブＰを受け入れる深溝が形成され、その深溝が段差Ｔとして機能する、請求項１又は２に記載のルーバー。
　【請求項４】
　前記外部材が、リブＱの厚さだけＹ方向内側にシフトした位置にて前記底部より突き出すリブＭを有し、リブＭが段差Ｌとして機能する、請求項１〜３のいずれかに記載のルーバー。」
　
第４　引用文献、引用発明等
１．引用文献１について
　原査定の拒絶の理由において引用された引用文献１には、「風向調整板」に関して、図面とともに次の事項が記載されている（下線は、理解の一助のために当審が付与したものである。以下同様。）。
　　
（１）引用文献１の記載
１ａ）「【０００６】
　風向板は、近年、大型化する傾向にあり、室内側に位置する表面部材と、吹出し口側に位置する裏面部材を組み合わせる場合がある。表面部材と裏面部材の固定には、接着剤や超音波溶着などの方法が用いられるが、材料コストの増加、工数の増加、養生時間を要することよる加工時間の増加が問題となる。」
　
１ｂ）「【０００９】
　本発明は、このような事情に鑑みてなされたものであって、容易かつ短時間で組立てることが可能な風向調整板、空気調和機及び風向調整板の製造方法を提供することを目的とする。」
　
１ｃ）「【００２１】
　以下に、本発明に係る実施形態について、図面を参照して説明する。
　空気調和機の室内機１は、本体ケース２の内部に冷媒が通過する熱交換器３、送風機４、モーター（図示せず。）、ドレンパン（図示せず。）等が設けられる。本体ケース２は、室内機１の背面側に位置するベース５と、ベース５の前面に設けられる前面パネル６などからなる。
【００２２】
　前面パネル６には、図１に示すように、吸込み口７や吹出し口８が設けられる。吸込み口７から吸い込まれた空気は、送風機４によって熱交換器３に導かれる。そして、熱交換器３を通過して冷却又は加熱された空気が吹出し口８から室内へ送り出される。
吹き出し口８の前方には、風向調整板１０が設けられ、風向調整板１０は、吹出し口８を開閉したり、風向を調整したりする。吹出し口８は、室内機１の幅方向（設置時の左右方向）に沿って長く形成され、風向調整板１０も吹出し口８に合わせて幅方向に長い。
【００２３】
　
風向調整板１０は、図２に示すように、表面部材１１と、裏面部材１２と、表面部材１１の吹出し口８側の面に設けられる支持部１３などからなる。
【００２４】
　支持部１３は、表面部材１１と一体成形で形成されてもよいし、表面部材１１とは別部品で形成して表面部材１１に嵌め込まれてもよい。裏面部材１２には、支持部１３が貫通する開口部（図示せず。）が設けられる。このように、表面部材１１に支持部１３が設けられることによって、裏面部材１２に支持部が設けられる場合に比べて、支持部１３は、確実に風向調整板１０を支持できる。また、支持部１３が裏面部材１２に設けられると、下方に位置する表面部材１１が落下するおそれがあるが、本実施形態では、表面部材１１が裏面部材１２を支持していることから脱落の可能性がない。
【００２５】
　
表面部材１１は、室内側に位置する第１面材１１ａと、吹出し口８側に位置する第２面材１１ｂとを有しており、第１面材１１ａと第２面材１１ｂは、風向調整板１０の前端部と後端部の両端部で接合している。第１面材１１ａと第２面材１１ｂは、取り付けられたときに室内機１の幅方向に長い平板状の部材である。
【００２６】
　
表面部材１１は、前端部側に第１溝１５が形成され、後端部側に第２溝１６が形成される。
【００２７】
　第１溝１５において、組立て時に裏面部材１２の前端部１２ａを挿入できる深さは、裏面部材１２の挿入方向の長さから表面部材１１の開口部１１ｃの長さを引いて得られる差よりも大きい。その結果、裏面部材１２の前端部１２ａを第１溝１５に挿入することによって、裏面部材１２が表面部材１１内部に納まり、裏面部材１２を開口部１１ｃから表面部材１１の内部へ挿入できる。
【００２８】
　また、
表面部材１１の奥行き方向（幅方向に対して垂直方向）の中間部分には、リブ１７が裏面部材１２側に突出して設置される。
　
１ｄ）「【００２９】
　リブ１７には、中間に第１凸部１７ａが形成される。
第１凸部１７ａは、第２溝１６側に突出しており、第２溝１６側の面でストッパ２０と接触する。
【００３０】
　また、
第２凸部１７ｂと第３凸部１７ｃが、第１凸部１７ａに対して表面部材１１の奥行き方向両端にそれぞれ形成される。
第２凸部１７ｂと第３凸部１７ｃは、裏面部材１２と接触する。
【００３１】
　更に、第１凸部１７ａと第３凸部１７ｃとの間には、収容溝１７ｄが形成される。収容溝１７ｄは、風向調整板１０が組立てられた後、
裏面部材１２のストッパ２０を収容する。これによって、裏面部材１２の円弧形状が、表面部材１１側が凸になるように保つことができ、第２凸部１７ｂと第３凸部１７ｃが、裏面部材１２と接触するようになる。
【００３２】
　
裏面部材１２は、取り付けられたときに室内機１の幅方向に長い平板状の部材である。裏面部材１２は、室内機１の幅方向に対して垂直方向に切断した断面が、円弧形状であって、室内側に膨らんでいる。
【００３３】
　裏面部材１２は、前端部１２ａが表面部材１１の第１溝１５に挿入され、後端部１２ｂが表面部材１１の第２溝１６に挿入される。
【００３４】
　後端部１２ｂは、更に段差部２１が形成され、段差部２１は、第２溝１６における第２面材１１ｂ側の端部１６ｂと接触する。
端部１６ｂは、開口部１１ｃの縁部分でもある。段差部２１と端部１６ｂが接触することによって、裏面部材１２の第２溝１６側への移動が妨げられる。
【００３５】
　
裏面部材１２の前端部１２ａは、第１溝１５における第２面材１１ｂの内面１５ａと接触する。また、裏面部材１２の後端部１２ｂは、第２溝１６における第２面材１１ｂの内面１６ａと接触する。
裏面部材１２は、弾性力によって、表面部材１１の第１面材１１ａ（第２凸部１７ｂ及び第３凸部１７ｃ）と、第１溝１５及び第２溝１６における第２面材１１ｂに挟まれて固定される。
【００３６】
　裏面部材１２の奥行き方向（幅方向に対して垂直方向）の中間部分には、ストッパ２０が表面部材１１の第１面材１１ａ側に突出して設置される。ストッパ２０は、裏面部材１２の表面部材１１側の面に、複数個所で設けられる。
【００３７】
　ストッパ２０は、第４凸部２０ａと第５凸部２０ｂが形成される。ストッパ２０において、第４凸部２０ａと第５凸部２０ｂは、裏面部材１２の奥行き方向両端にそれぞれ形成される。第４凸部２０ａは、第１溝１５側に突出しており、第１溝１５側の面でリブ１７と接触する。
【００３８】
　表面部材１１の第１面材１１ａと裏面部材１２の互いに対向する面において、リブ１７に形成された第１凸部１７ａが裏面部材１２側かつ第２溝１６側に突出し、ストッパ２０に形成された第４凸部２０ａが表面部材１１側かつ第１溝１５側に突出している。
第１凸部１７ａと第４凸部２０ａが接触することによって、裏面部材１２の第１溝１５側への移動が妨げられる。
【００３９】
　裏面部材１２を表面部材１１の内部へ挿入するときは、第１溝１５側への裏面部材１２の移動が利用されるが、裏面部材１２が表面部材１１に対して固定されるときは、
リブ１７とストッパ２０によって、第１溝１５側への裏面部材１２の移動が妨げられる。
　
１ｅ）
「図２
　　　　　　　　　　　　　　　　　　　　　　　　　　　　　　　　　　　　　　　　　　　　　　　　　　　　　　　　　　　　　　　　　　　」
　
１ｆ）図２から、表面部材１１と裏面部材１２との間には内部空間が形成されることが看取できる。
　
１ｇ）図２及び上記１ｄ）段落【００３５】の記載によると、後端部１２ｂが第２面材１１ｂの内面に接触しているから、表面部材１１の第２面材１１ｂが、後端部１２ｂが第１面材１１ａから垂直方向に遠ざかることを阻むことは明らかである。
　
１ｈ）図２及び上記１ｃ）段落【００２８】の記載によると、裏面部材１２には、その奥行き方向の中間部分において表面部材１１側に突出して設置されるストッパ２０が設けられることが看取できる。
　
１ｉ）図２及び上記１ｄ）段落【００２９】の記載によると、リブ１７は、その中間に第１凸部１７ａが形成され、第１凸部１７ａは第２溝１６側に突出しており、第２溝１６側の面でストッパ２０の第４凸部２０ａと接触することにより、ストッパ２０が第２面材１１ｂから奥行き方向に遠ざかることを阻むことは明らかである。
　
（２）引用発明
　上記（１）及び図面の記載からみて、引用文献１には以下の発明（以下、「引用発明」という。）が記載されている。
　
「幅方向に長く、第１面材１１ａの前端部及び後端部に第２面材１１ｂを有する表面部材１１と、
　第２面材１１ｂの第１溝１５と第２溝１６の端部１６ｂに嵌合する部分を有し、表面部材１１とで内部空間を形成する裏面部材１２とを備え、
　空気調和機の室内機１における吹出し口８から室内に送り出される風の風向を調整する風向調整板１０であって、
　裏面部材１２は、表面部材１１に嵌め込まれた状態で、後端部１２ｂの段差部２１において第２溝１６側に向かい、第２面材１１ｂの第２溝１６の端部１６ｂに接触する後端部１２ｂと、
　裏面部材１２の奥行き方向の中間部分において表面部材１１側に突出して設置されるストッパ２０とを有し、
　表面部材１１は、後端部１２ｂが第２面材１１ｂの内面に接触することにより、後端部１２ｂが第１面材１１ａから垂直方向に遠ざかることを阻む第２溝１６と、表面部材１１の奥行き方向の中間部分において裏面部材１２側に突出して設置されるリブ１７を有し、
　リブ１７は、その中間に第１凸部１７ａが形成されており、第１凸部１７ａは第２溝１６側に突出しており、第２溝１６側の面でストッパ２０の第４凸部２０ａと接触することにより、ストッパ２０が第２面材１１ｂから奥行き方向に遠ざかることを阻むものである、風向調整板。」
　
２．引用文献２について
　原査定の拒絶の理由において引用された引用文献２には、「空気調和機」に関して、図面とともに次の事項が記載されている　
　
（１）引用文献２の記載
２ａ）「【請求項１】
送風ファンと、前記送風ファンによって生じる風を吹き出す吹出し口と、前記吹出し口に配置されて空気の上下方向の向きを変える上下風向変更羽根とを具備した空気調和機であって、前記上下風向変更羽根は、箱部と中空用蓋とを接着固定して中空部を有する箱状とし、
少なくとも前記箱部又は前記中空用蓋のうちいずれかの周縁の内側に接着用の周縁リブを設置した
　
２ｂ）「【００１２】
　図２において、空気調和機本体５の下部に吹出し口３を備え、その上側に送風ファン４と熱交換器６が取付けられている。そして、吹出し口３の前側に回転と移動が可能な上下風向変更羽根１を配設し、上下風向変更羽根１は同一材料の箱部１ｂと中空用蓋１ａを接着して、偏平で僅かに反りを有する箱状に形成されている。
【００１３】
　次に、上下風向変更羽根１の接着固定部の構成について、図３〜図５を用いて説明する。図に示すように、
上下風向変更羽根１は、中空用蓋１ａと箱部１ｂとから中空部２を設けるようにして構成されており、中空用蓋１ａと箱部１ｂとは、上下風向変更羽根１の内部に形成された中空用蓋周縁リブ７と箱部周縁リブ８近傍とを接着剤９で接着固定されている。
【００１４】
　以上のように構成された空気調和機の動作、作用について説明する。空気調和機本体５の冷房運転時において、熱交換器６を通過し冷却された風が送風ファン４によって吹出し口３で風向きを上側にする運転モードにおいて、上下風向変更羽根１の外側と内側の温度差が生じるため、上下風向変更羽根１の外側に結露が発生しやすい状態となる。その際、上下風向変更羽根１の中空用蓋１ａと箱部１ｂで構成された中空部２の断熱効果により冷房時の結露を防止することができる。
【００１５】
　上記構成により、上下風向変更羽根１の形成においては内部に接着剤が塗布されることにより外観面への接着剤９のはみ出しが防止できるため、運転中ユーザーから接着剤が見えてしまう心配がなく、外観のデザイン性向上が可能となる。また作業者による２部品の合わせ時に接着剤のはみ出し、ふき取りの工程が無いため、組立工数の低減を図れる。」
　
２ｃ）「
　　　　　　　　　　　　　　　　　　　　　　　　　　　　　　　　　　　　　　　　　　　　　　　　　　　　　　　　　　　　　　　　　　 」
　
２ｄ）図５から、中空用蓋１ａと箱部１ｂの周縁の内側近傍に中空用蓋周縁リブ７と箱部周縁リブ８が設けられることが看取できる。
　
（２）引用文献２に記載された技術　　
　上記（２）及び図面の記載からみて、引用文献２には以下の技術（以下、「引例２技術」という。）が記載されている。
　
「空気調和機の上下風向変更羽根１が、中空部２を形成するように設けられた中空用蓋１ａと箱部１ｂとからなるものであって、中空用蓋１ａと箱部１ｂの周縁の内側近傍に接着用の中空用蓋周縁リブ７と箱部周縁リブ８を設置する技術。」
　
第５　原査定についての判断
１．本願発明１について
（１）対比
　本願発明１と引用発明とを対比する。
　引用発明における「幅方向に長く」は、本願発明１における「平面視ほぼ長方形で」に相当し、以下同様に、「第１面材１１ａ」は「底部」に、「第２面材１１ｂ」は「壁」に、「表面部材１１」は「外部材」に、「第２溝１６の端部１６ｂ」は「内周面」に、「部分」は「頂部」に、「内部空間」は「断熱空間」に、「裏面部材１２」は「内部材」に、「空気調和機の室内機１」は「空気調和機」に、「吹出し口８」は「吹き出し口」に、「室内に送り出される」は、「吹き出される」に、「風向を調整する」は「風の向きを規制する」に、「風向調整板１０」は「ルーバー」に、「嵌め込まれた状態」は「嵌合状態」に、「後端部１２ｂの段差部２１」は「Ｙ方向端部」に、「第２溝１６側に向かい」は「外側に張り出して」に、「後端部１２ｂ」は「リブＰ」に、「垂直方向」は「Ｚ方向」に、「第２溝１６」は「段差Ｔ」に、それぞれ相当する。
　そして、引用発明における「第２面材１１ｂの」、「第２溝１６の端部１６ｂに」、「接触する」ことは、上記第４　１．（１）１ｄ）段落【００３５】の記載及び１ｅ）図２によれば、裏面部材１２がリブ１７の第２凸部１７ｂ及び第３凸部１７ｃによって押し上げられて第２面材１１ｂに挟まれて固定されるのであるから、本願発明１における「壁の内周面に」、「圧接」することに相当する。
　なお、上記Ｘ方向、Ｙ方向及びＺ方向については、本願発明１において特定されたとおり、「長方形の長辺に沿う方向をＸ方向、短辺に沿う方向をＹ方向、ＸＹ平面と交差する方向をＺ方向」とする。
　
　そうすると、本願発明１と引用発明との一致点、相違点は次のとおりである。
　
［一致点］
「平面視ほぼ長方形で底部に壁を有する外部材と、
　前記壁の内周面に嵌合する頂部を有し、外部材とで断熱空間を形成する内部材とを備え、
　空気調和機における吹き出し口から吹き出される風の向きを規制するルーバーであって、
　前記長方形の長辺に沿う方向をＸ方向、短辺に沿う方向をＹ方向、ＸＹ平面と交差する方向をＺ方向とするとき、
　前記内部材は、外部材との嵌合状態で、Ｙ方向端部にて外側に張り出して前記壁の内周面に圧接するリブＰを有し、
　前記外部材は、リブＰが前記底部からＺ方向に遠ざかることを阻む段差Ｔを有する、ルーバー。」
　
［相違点１］
　本願発明１においては、「外部材」が、「底部の周縁に壁を有する」のに対して、
　引用発明においては、「表面部材１１」が、「第１面材１１ａの前端部及び後端部に第２面材１１ｂを有する」点。
　
［相違点２］
　本願発明１においては、「前記内部材」は「前記Ｙ方向端部付近にてＺ方向に突き出して前記底部に圧接するリブＱを有」するのに対して、
　引用発明においては、「裏面部材１２」は「裏面部材１２の奥行き方向の中間部分において表面部材１１側に突出して設置されるストッパ２０」を有するものであって、「ストッパ２０」が「裏面部材１２の奥行き方向の中間部分において表面部材１１側に突出して設置される」ものの、表面部材１１に対して圧接するものではなく、裏面部材１１の後端部１２ｂ付近に設置されるものでもない点。
　
［相違点３］
　本願発明１においては、「前記外部材」は「リブＱが前記壁からＹ方向に遠ざかることを阻む段差Ｌを有する」のに対して、
　引用発明においては、「表面部材１１」は「表面部材１１の奥行き方向の中間部分において裏面部材１２側に突出して設置されるリブ１７を有し、リブ１７は、その中間に第１凸部１７ａが形成されており、第１凸部１７ａは第２溝１６側に突出しており、第２溝１６側の面でストッパ２０の第４凸部２０ａと接触することにより、ストッパ２０が第２面材１１ｂから奥行き方向に遠ざかることを阻むものであ」る点。
　
　事案に鑑み、まず上記相違点２及び３について検討する。
　
［相違点２について］
　上記引例２技術は、「空気調和機の上下風向変更羽根１が、中空部２を形成するように設けられた中空用蓋１ａと箱部１ｂとからなるものであって、中空用蓋１ａと箱部１ｂの周縁の内側近傍に接着用の中空用蓋周縁リブ７と箱部周縁リブ８を設置する技術」である。
　しかし、引例２技術における「中空用蓋周縁リブ７」と「箱部周縁リブ８」は、「中空用蓋１ａ」と「箱部１ｂ」とを接着するために設置されたものであり（上記第４　２．（１）２ａ）参照。）、「箱部１ｂ」と「中空用蓋１ａ」に対して突き出して圧接したものかは不明である。
　そうすると、接着剤や超音波溶着などを用いないで容易かつ短時間で組み立てることを目的とする（上記第４　１．（１）１ａ）及び１ｂ）参照。）引用発明に、「箱部１ｂ」と「中空用蓋１ａ」とを接着することを前提として「中空用蓋周縁リブ７」と「箱部周縁リブ８」とを設けた引例２技術を適用する動機付けはなく、仮に適用したとしても、引用発明における「ストッパ２０」を表面部材１１に対して突き出して圧接して本願発明１における「リブＱ」とすることには至らないから、引用発明に引例２技術を適用して上記相違点２に係る本願発明１の発明特定事項とすることは当業者が容易に想到し得たとはいえない。
　
［相違点３について］
　上記相違点３に係る本願発明１において、「リブＱ」を特定することが前提である以上、上記［相違点２について］と同様の理由で、引用発明に引例２技術を適用して上記相違点３に係る本願発明１の発明特定事項とすることは、当業者が容易に想到し得たとはいえない。
　
　したがって、本願発明１は、上記相違点１について検討するまでもなく引用発明及び引例２技術に基いて当業者が容易に発明をすることができたものとはいえない。
　
２．本願発明２ないし４について　
　本願の特許請求の範囲における請求項２ないし４は、請求項１の記載を他の記載に置き換えることなく直接又は間接的に引用して記載したものであるから、本願発明２ないし４は、本願発明１の発明特定事項を全て含むものである。
　　
　したがって、本願発明２ないし４は、本願発明１と同様の理由で、引用発明及び引例２技術に基いて当業者が容易に発明をすることができたものとはいえない。
　
第６　むすび
　以上のとおり、本願発明１ないし４は、当業者が引用発明及び引例２技術に基いて容易に発明をすることができたものとすることはできない。
　したがって、原査定の理由によっては、本願を拒絶することはできない。
　また、他に本願を拒絶すべき理由を発見しない。
　よって、結論のとおり審決する。